(57)【要約】【課題】検査工数を増すことなく、測定セルの短絡不良の検査に加えて、セル間接続部の未接続や接続不良の検査を同時に行える鉛蓄電池の検査方法を得る。【解決手段】あるセル室３内の極板群４の正極ストラップ５ｂ又は負極ストラップ５ａと、この極板群４の反対側の負極ストラップ５ａ又は正極ストラップ５ｂにセル間接続部６で接続されている隣接するセル室３内の極板群４の正極ストラップ５ｂ又は負極ストラップ５ａとの間に電圧を印加して抵抗値を測定し、測定された抵抗値が所定の範囲内の値のときに良品と判定し、所定の範囲内の値より下回るときに短絡不良と判定し、所定の範囲内の値より上回るときにセル間接続不良と判定する。【選択図】　図１
2004087412.tif 000002
【特許請求の範囲】
【請求項１】
電槽内の複数のセル室に極板群がそれぞれ収容され、隣接する前記セル室の前記極板群間がセル間接続部で接続されている鉛蓄電池を検査する鉛蓄電池の検査方法であって、
あるセル室内の前記極板群の正極ストラップ又は負極ストラップと、該極板群の反対側の前記負極ストラップ又は前記正極ストラップにセル間接続部で接続されている隣接するセル室内の極板群の正極ストラップ又は負極ストラップとの間に電圧を印加して抵抗値を測定し、測定された抵抗値が所定の範囲内の値のときに良品と判定し、前記所定の範囲内の値より下回るときに短絡不良と判定し、前記所定の範囲内の値より上回るときにセル間接続不良と判定することを特徴とする鉛蓄電池の検査方法。
【請求項２】
電槽内の複数のセル室に極板群がそれぞれ収容され、隣接する前記セル室の前記極板群間がセル間接続部で接続されている鉛蓄電池を検査する鉛蓄電池の検査装置であって、
あるセル室内の前記極板群の正極ストラップ又は負極ストラップと、該極板群の反対側の前記負極ストラップ又は前記正極ストラップにセル間接続部で接続されている隣接するセル室内の極板群の正極ストラップ又は負極ストラップとの間に電圧を印加して抵抗値を測定する電圧印加抵抗値測定手段と、測定された抵抗値が所定の範囲内の値のときに良品と判定し、前記所定の範囲内の値より下回るときに短絡不良と判定し、前記所定の範囲内の値より上回るときにセル間接続不良と判定する検査結果判定手段とを有することを特徴とする鉛蓄電池の検査装置。
【請求項３】
前記検査結果判定手段には、検査結果表示手段が接続されていることを特徴とする請求項２に記載の鉛蓄電池の検査装置。
【発明の詳細な説明】
【０００１】
【発明の属する技術分野】
本発明は、鉛蓄電池の検査方法及び検査装置に関するものである。
【０００２】
【従来の技術】
鉛蓄電池は、図２に示すように、電槽１内が隔壁２で複数のセル室３に区画されていて、これらのセル室３内に極板群４がそれぞれ収容された構造になっている。極板群４は、複数の正極板と複数の負極板がセパレータを介して交互に積層され、各負極板の耳部は負極ストラップ５ａで接続され、各正極板の耳部は正極ストラップ５ｂで接続されている。隣接するセル室３の極板群４間が、隔壁２を隔てて対向するストラップ５ａ，５ｂをセル間接続部６で接続することにより直列接続されている。
【０００３】
このような鉛蓄電池の従来の検査は、測定すべき極板群４の負極ストラップ５ａと正極ストラップ５ｂとの間に電圧を印加して抵抗値（電圧低下）を測定し、測定された抵抗値が所定の範囲内の下限値を下回ったときにそのセルの短絡不良とし、極板群４に対して電極（プローブ）が当たらなかった場合、所定の電圧低下が無いため抵抗値が所定の範囲内の上限値を上回り、接触不良と判定し、図示の例では６セルの短絡の検査を行っていた。
【０００４】
【発明が解決しようとする課題】
しかしながら、しかしながらこのような鉛蓄電池の検査方法では、セル間接続後の接続ができているか否かの確認ができないため、製造工程が進み、セル間接続不良の発見が遅れる問題点があった。
【０００５】
本発明の目的は、検査工数を増すことなく、測定セルの短絡不良の検査に加えて、セル間接続部の未接続や接続不良の検査を同時に行える鉛蓄電池の検査方法及び検査装置を提供することにある。
【０００６】
【課題を解決するための手段】
本発明は、電槽内の複数のセル室に極板群がそれぞれ収容され、隣接するセル室の極板群間がセル間接続部で接続されている鉛蓄電池を検査する鉛蓄電池の検査方法を対象とする。
【０００７】
本発明に係る鉛蓄電池の検査方法では、あるセル室内の極板群の正極ストラップ又は負極ストラップと、該極板群の反対側の負極ストラップ又は正極ストラップにセル間接続部で接続されている隣接するセル室内の極板群のストラップとの間に電圧を印加して抵抗値を測定し、測定された抵抗値が所定の範囲内の値のときに良品と判定し、所定の範囲内の値より下回るときに短絡不良と判定し、所定の範囲内の値より上回るときにセル間接続不良と判定することを特徴とする。
【０００８】
このようにあるセル室内の極板群の正極ストラップ又は負極ストラップと、該極板群の反対側の負極ストラップ又は正極ストラップにセル間接続部で接続されている隣接するセル室内の極板群のストラップとの間に電圧を印加して抵抗値を測定すると、検査工数を増すことなく、測定セルの短絡不良の検査に加えて、従来測定ができなかったセル間接続部の未接続や接続不良の検査を同時に行うことができる。
【０００９】
次に本発明は、電槽内の複数のセル室に極板群がそれぞれ収容され、隣接するセル室の極板群間がセル間接続部で接続されている鉛蓄電池を検査する鉛蓄電池の検査装置を対象とする。
【００１０】
本発明に係る鉛蓄電池の検査装置では、あるセル室内の極板群の正極ストラップ又は負極ストラップと、該極板群の反対側の負極ストラップ又は正極ストラップにセル間接続部で接続されている隣接するセル室内の極板群の正極ストラップ又は負極ストラップとの間に電圧を印加して抵抗値を測定する電圧印加抵抗値測定手段と、測定された抵抗値が所定の範囲内の値のときに良品と判定し、所定の範囲内の値より下回るときに短絡不良と判定し、所定の範囲内の値より上回るときにセル間接続不良と判定する検査結果判定手段とを有することを特徴とする。
【００１１】
このように電圧印加抵抗値測定手段により、あるセル室内の極板群の正極ストラップ又は負極ストラップと、該極板群の反対側の負極ストラップ又は正極ストラップにセル間接続部で接続されている隣接するセル室内の極板群の正極ストラップ又は負極ストラップとの間に電圧を印加して抵抗値を測定するので、検査工数を増すことなく、測定セルの短絡不良の検査に加えて、従来測定ができなかったセル間接続部の未接続や接続不良の検査を同時に行うことができる。
【００１２】
この場合、検査結果判定手段に検査結果表示手段を接続すると、前述した検査結果の表示を行うことができる。
【００１３】
【発明の実施の形態】
図１は本発明に係る鉛蓄電池の検査装置における実施の形態の一例を示した平面図である。
【００１４】
本例の鉛蓄電池の検査装置は、あるセル室３内の極板群４の負極ストラップ５ａと、該極板群４の反対側の正極ストラップ５ｂにセル間接続部６で接続されている隣接するセル室３内の極板群４の負極ストラップ５ａとの間に電極（プローブ）７ａ，７ｂで電圧を印加して抵抗値を測定する電圧印加抵抗値測定手段８と、測定された抵抗値が所定の範囲内の値のときに良品と判定し、所定の範囲内の値より下回るときに短絡不良と判定し、所定の範囲内の値より上回るときにセル間接続不良と判定するコンパレータよりなる検査結果判定手段９と、この検査結果判定手段９に接続された検査結果表示手段１０とを有する。
【００１５】
次に、上記の如き鉛蓄電池の検査装置を用いた鉛蓄電池の検査方法について説明する。あるセル室３内の極板群４の負極ストラップ５ａと、該極板群４の反対側の正極ストラップ５ｂにセル間接続部６で接続されている隣接するセル室３内の極板群４の負極ストラップ５ａとの間に電圧印加抵抗値測定手段８で電極（プローブ）７ａ，７ｂにより電圧を印加して抵抗値を測定する。次に、検査結果判定手段９により、測定された抵抗値が所定の範囲内の値のときに良品と判定し、所定の範囲内の値より下回るときに短絡不良と判定し、所定の範囲内の値より上回るときにセル間接続不良と判定する。この検査結果に応じて、検査結果表示手段１０によりＡ：短絡、Ｂ：セル間接続不良、Ｃ：良品と表示する。
【００１６】
このように検査ワークの不良箇所を表示させ、作業者による取出しを行い、分離を可能とした。
【００１７】
このような鉛蓄電池の検査方法及び検査装置によれば、検査工数を増すことなく、測定セルの短絡不良の検査に加えて、従来測定ができなかったセル間接続部の未接続や接続不良の検査を同時に行うことができる。
【００１８】
上記例では、図１の左側の負極ストラップ５ａ側から測定を行ったが、図１の右側の正極ストラップ５ｂ側から測定を行ってもよい。
【００１９】
【発明の効果】
本発明に係る鉛蓄電池の検査方法では、あるセル室内の極板群の正極ストラップ又は負極ストラップと、該極板群の反対側の負極ストラップ又は正極ストラップにセル間接続部で接続されている隣接するセル室内の極板群の正極ストラップ又は負極ストラップとの間に電圧を印加して抵抗値を測定するので、検査工数を増すことなく、測定セルの短絡不良の検査に加えて、従来測定ができなかったセル間接続部の未接続や接続不良の検査を同時に行うことができる。
【００２０】
また本発明に係る鉛蓄電池の検査装置では、電圧印加抵抗値測定手段により、あるセル室内の極板群の正極ストラップ又は負極ストラップと、該極板群の反対側の負極ストラップ又は正極ストラップにセル間接続部で接続されている隣接するセル室内の極板群の正極ストラップ又は負極ストラップとの間に電圧を印加して抵抗値を測定するので、検査工数を増すことなく、測定セルの短絡不良の検査に加えて、従来測定ができなかったセル間接続部の未接続や接続不良の検査を同時に行うことができる。さらに、検査結果判定手段により、良品の判定と、短絡不良の判定と、セル間接続不良の判定とを行うことができる。
【００２１】
この場合、検査結果判定手段に検査結果表示手段を接続すると、前述した検査結果の表示を行うことができる。
【図面の簡単な説明】
【図１】本発明に係る鉛蓄電池の検査装置における実施の形態の一例を示した平面図である。
【図２】従来の鉛蓄電池の平面図である。
【符号の説明】
１　電槽
２　隔壁
３　セル室
４　極板群
５ａ　負極ストラップ
５ｂ　正極ストラップ
６　セル間接続部
７ａ，７ｂ　電極（プローブ）
８　電圧印加抵抗値測定手段
９　検査結果判定手段
１０　検査結果表示手段
【図１】
2004087412.tif 000003
【図２】
2004087412.tif 000004